【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
プラスチック物品の染色方法であって、
(ａ)熱可塑性ポリマーおよび熱硬化性ポリマーから選択される少なくとも一つのポリマーを含んでなるプラスチック物品を用意し、
(ｂ)上記プラスチック物品の少なくとも一部を、
(ｉ)少なくとも一つの染料と、
(ii)水と、
(iii)以下の一般式Ｉ
Ｒ-Ｏ-(ＣＨ２)ｎ-ＯＨ        Ｉ
〔式中、Ｒは、直鎖状または分枝状Ｃ１〜Ｃ１８アルキル、ベンジル、ベンゾイルおよびフェニルから選択される基であり、
ｎは、２または３である〕
で示される少なくとも一つの担体と、
(iv)直鎖状または分枝状Ｃ２〜Ｃ２０脂肪族ジオール、ポリ(Ｃ２〜Ｃ４アルキレングリコール)、環中に５〜８個の炭素原子を有する脂環族ジオール、単環式芳香族ジオール、ビスフェノールおよび水素化ビスフェノールの少なくとも一つから選択されるジオールと
を含んでなる染浴中に浸漬させ、
(ｃ)染色プラスチック物品を形成するのに少なくとも十分な時間、上記プラスチック物品の上記部分を上記染浴中に保持し、および
(ｄ)上記染色プラスチック物品を、上記染浴から取り出すことを含む、方法。
【請求項２】
上記プラスチック物品は、(コ)ポリエステル、(コ)ポリカーボネート、ポリエステルポリカーボネートコポリマー、アクリロニトリル-ブタジエン-スチレンコポリマー、ポリアミド、ポリウレタン、ポリアルキル(メタ)アクリレートおよびスチレンコポリマーの少なくとも一つから選択されるポリマーを含んでなる、請求項１に記載の方法。
【請求項３】
上記染料は、スタティック染料、フォトクロミック染料およびそれらの組合せから選択される、請求項１に記載の方法。
【請求項４】
上記染料は、アゾ染料、ジフェニルアミン染料およびアントラキノン染料からなる群から選択される水不溶性スタティック染料である、請求項３に記載の方法。
【請求項５】
上記染浴は、ＵＶ安定剤、蛍光増白剤、離型剤、帯電防止剤、熱安定剤、ＩＲ吸収剤および抗菌剤の少なくとも一つをさらに含んでなる、請求項１に記載の方法。
【請求項６】
上記プラスチック物品は、熱可塑性芳香族ポリカーボネートおよび熱可塑性脂肪族ポリカーボネートの少なくとも一つから選択される熱可塑性ポリカーボネートを含んでなる、請求項１に記載の方法。
【請求項７】
(ｉ)上記染浴を、粒状活性炭と接触させて上記染浴と粒状活性炭の混合物を形成し、
(ii)上記混合物から、水と上記担体と上記ジオールを含んでなる染料非含有液体を単離し、および
(iii)必要に応じて、上記染料非含有液体に、少なくとも一つの染料を添加して、これにより、さらなる染浴を形成する
ことをさらに含む、請求項１に記載の方法。
【手続補正２】
【補正対象書類名】明細書
【補正対象項目名】００５２
【補正方法】変更
【補正の内容】
【００５２】
本発明の方法における染浴中に含まれ得る抗菌剤としては、例えば、微生物(例えば、病原性微生物)に対して抗菌活性を有する物質が挙げられる。本明細書および特許請求の範囲において使用される用語「抗菌剤」には、防腐物質、殺菌物質および抗真菌物質も含まれる。さらに、抗菌剤は、活性化前の形態、例えば、引き金となる事象(例えば、活性化前の物質への微生物の作用)の発生まで抗菌活性にはならない形態で使用することもできる。
【手続補正３】
【補正対象書類名】明細書
【補正対象項目名】００９９
【補正方法】変更
【補正の内容】
【００９９】
本発明をその特定の実施態様の詳細な説明を参照して説明した。このような詳説は、本発明の範囲が特許請求の範囲に含まれる範囲まで限定され得る場合を除いて、本発明の範囲を限定するものとして解釈されることを意図しない。
本発明の好適な実施態様には、以下のものが含まれる。
〔１〕  プラスチック物品の染色方法であって、
(ａ)熱可塑性ポリマーおよび熱硬化性ポリマーから選択される少なくとも一つのポリマーを含んでなるプラスチック物品を用意し、
(ｂ)上記プラスチック物品の少なくとも一部を、
(ｉ)少なくとも一つの染料と、
(ii)水と、
(iii)以下の一般式Ｉ
Ｒ-Ｏ-(ＣＨ２)ｎ-ＯＨ        Ｉ
〔式中、Ｒは、直鎖状または分枝状Ｃ１〜Ｃ１８アルキル、ベンジル、ベンゾイルおよびフェニルから選択される基であり、
ｎは、２または３である〕
で示される少なくとも一つの担体と、
(iv)直鎖状または分枝状Ｃ２〜Ｃ２０脂肪族ジオール、ポリ(Ｃ２〜Ｃ４アルキレングリコール)、環中に５〜８個の炭素原子を有する脂環族ジオール、単環式芳香族ジオール、ビスフェノールおよび水素化ビスフェノールの少なくとも一つから選択されるジオールと
を含んでなる染浴中に浸漬させ、
(ｃ)染色プラスチック物品を形成するのに少なくとも十分な時間、上記プラスチック物品の上記部分を上記染浴中に保持し、および
(ｄ)上記染色プラスチック物品を、上記染浴から取り出すことを含む、方法。
〔２〕  上記プラスチック物品は、(コ)ポリエステル、(コ)ポリカーボネート、ポリエステルポリカーボネートコポリマー、アクリロニトリル-ブタジエン-スチレンコポリマー、ポリアミド、ポリウレタン、ポリアルキル(メタ)アクリレートおよびスチレンコポリマーの少なくとも一つから選択されるポリマーを含んでなる、上記〔１〕に記載の方法。
〔３〕  上記染浴は、
０.００１〜０.５重量％の上記染料、
６５〜７５重量％の水、
１５〜２５重量％の上記担体、および
１〜１５重量％の上記ジオール
(重量％は、いずれの場合も上記染浴の総重量に基づく)
を含んでなる、上記〔１〕に記載の方法。
〔４〕  上記染浴を、２５〜９９℃の温度に維持する、上記〔１〕に記載の方法。
〔５〕  Ｒは直鎖状または分枝状Ｃ１〜Ｃ１８アルキルから選択され、およびｎは２である、上記〔１〕に記載の方法。
〔６〕  Ｒはｎ-ブチル、ｉ-ブチルおよびｔ-ブチルから選択される、上記〔５〕に記載の方法。
〔７〕  上記染浴は、陰イオン性界面活性剤、両性界面活性剤、およびポリ(Ｃ２〜Ｃ４アルコキシル化)Ｃ１４〜Ｃ１８不飽和脂肪酸、ポリ(Ｃ２〜Ｃ４アルコキシル化)フェノールおよびポリ(Ｃ２〜Ｃ４アルコキシル化)Ｃ１〜Ｃ９アルキル置換フェノールの少なくとも一つから選択される非イオン性界面活性剤の少なくとも一つから選択される界面活性剤をさらに含んでなる、上記〔１〕に記載の方法。
〔８〕  上記界面活性剤は、上記染浴の総重量に基づいて、１〜１５重量％の量で存在する、上記〔７〕に記載の方法。
〔９〕  上記ジオールは、ジエチレングリコール、トリエチレングリコール、テトラエチレングリコール、ペンタエチレングリコールおよびそれらの混合物から選択されるポリ(Ｃ２〜Ｃ４アルキレングリコール)である、上記〔１〕に記載の方法。
〔１０〕  上記ジオールはジエチレングリコールである、上記〔９〕に記載の方法。
〔１１〕  上記染料は、スタティック染料、フォトクロミック染料およびそれらの組合せから選択される、上記〔１〕に記載の方法。
〔１２〕  上記染料は、アゾ染料、ジフェニルアミン染料およびアントラキノン染料からなる群から選択される水不溶性スタティック染料である、上記〔１１〕に記載の方法。
〔１３〕  上記染料は、スタティック染料であり、および上記スタティック染料は、分散染料、非移動性スタティック染料およびそれらの組合せからなる群から選択される、上記〔１１〕に記載の方法。
〔１４〕  上記フォトクロミック染料は、スピロ(インドリン)ナフトオキサジン、スピロ(インドリン)ベンゾオキサジン、ベンゾピラン、ナフトピラン、有機金属ジチゾネート、フルギドおよびフルギミドの少なくとも一つから選択される、上記〔１１〕に記載の方法。
〔１５〕  上記染浴は、ＵＶ安定剤、蛍光増白剤、離型剤、帯電防止剤、熱安定剤、ＩＲ吸収剤および抗菌剤の少なくとも一つをさらに含んでなる、上記〔１〕に記載の方法。
〔１６〕  上記プラスチック物品は、顔料、架橋ポリメチルメタクリレートミクロスフェア、ガラスミクロスフェアおよび金属フレークの少なくとも一つを含んでなる、上記〔１〕に記載の方法。
〔１７〕  上記プラスチック物品は、熱可塑性芳香族ポリカーボネートおよび熱可塑性脂肪族ポリカーボネートの少なくとも一つから選択される熱可塑性ポリカーボネートを含んでなる、上記〔１〕に記載の方法。
〔１８〕  上記プラスチック物品は、熱硬化性ポリカーボネートを含んでなる成形品である、上記〔１〕に記載の方法。
〔１９〕  上記熱硬化性ポリカーボネートは、ポリオール(アリルカーボネート)モノマーを含んでなる重合可能な組成物の重合物である、上記〔１８〕に記載の方法。
〔２０〕  上記プラスチック物品は、造形品、フィルムおよびシートから選択される成形品である、上記〔１〕に記載の方法。
〔２１〕  上記成形品は、光学レンズ、眼科用レンズ、サンシェードレンズ、フェイスシールドおよび窓ガラスから選択される造形品である、上記〔２０〕に記載の方法。
〔２２〕  上記プラスチック物品は、熱可塑性ペレットおよび熱可塑性ストランドから選択される、上記〔１〕に記載の方法。
〔２３〕  上記染色熱可塑性ペレットおよび上記染色熱可塑性ストランドの少なくとも一つを溶融して溶融された染色熱可塑性組成物を形成し、および
上記溶融された染色熱可塑性組成物を型中に導入し、これにより染色造形成形品を形成することをさらに含む、上記〔２２〕に記載の方法。
〔２４〕  (ｉ)上記染浴を、粒状活性炭と接触させて上記染浴と粒状活性炭の混合物を形成し、
(ii)上記混合物から、水と上記担体と上記ジオールを含んでなる染料非含有液体を単離し、および
(iii)必要に応じて、上記染料非含有液体に、少なくとも一つの染料を添加して、これにより、さらなる染浴を形成する
ことをさらに含む、上記〔１〕に記載の方法。
〔２５〕  (ｉ)水と上記担体と上記ジオールの混合物を製造し、
(ii)上記染料をフィルターに導入し、および
(iii)上記混合物を、上記染料中を通して上記フィルターを通過させ、これにより、上記染浴を形成し、および
上記染浴を、上記フィルターを連続的に通過させること
をさらに含む、上記〔１〕に記載の方法。
〔２６〕  上記染浴を、複数の穿孔を有するプレートを通して、浸漬タンク中に連続的に導入することをさらに含む、上記〔１〕に記載の方法。
〔２７〕  上記染浴から取り出した染色プラスチック物品の表面の少なくとも一部を、水と必要に応じて上記担体(iii)および上記ジオール(iv)の少なくとも一つとを含んでなるすすぎ組成物と接触させることをさらに含む、上記〔１〕に記載の方法。